(57)【要約】　　　（修正有）【課題】個別ハウジング要素が信頼性をもって共に連結されるフラット物体、特にＣＤかつ／またはＤＶＤケース用のアドオン保管装置を提供する。【解決手段】前面が開放しかつ側壁が相互に対して対面配置される少なくとも二つのボックス形ハウジング要素、および対面配置された隣接する側壁へ押し込むことのできる少なくとも二つのクリップ形連結要素を含み、前記クリップ形連結要素は、ハウジング要素の側壁において開放した前面側およびその反対の底面側から所定の締結領域に共通エッジを形成しかつハウジング要素の内面で側壁上に係合し、かつ締結領域において、隣接する側壁の少なくとも開放側の内面に少なくとも一つの凹部かつ／または凸部を含み、かつ凹部または凸部に係合する少なくとも一つの凸部かつ／または凹部がクリップ形連結要素に形成される。【選択図】　　　図１
0003097257.tif 000002
【実用新案登録請求の範囲】
【請求項１】
前面が開放しかつ側壁が相互に対して対面配置される少なくとも二つのボックス形ハウジング要素（１，２）、および
対面配置された隣接する側壁へ押し込むことのできる少なくとも二つのクリップ形連結要素を含み、
前記クリップ形連結要素は、前記ハウジング要素の開放した前面およびその反対側の底面（７）から所定の締結領域（４）に共通エッジを形成しかつ前記ハウジング要素（１，２）の内面で前記側壁上に係合し、かつ
前記締結領域（４）において、隣接する前記側壁の少なくとも開放側の内面に少なくとも一つの凹部（１３，１４）かつ／または凸部を含み、かつ前記凹部または凸部に係合する少なくとも一つの凸部（１７，１８）かつ／または凹部が前記クリップ形連結要素（３）に形成されていることを特徴とする、ＣＤかつ／またはＤＶＤケース等のフラット物体用アドオン保管装置。
【請求項２】
前記締結領域（４）において、少なくとも前記側壁の開放側の内面の少なくとも一つの凹部かつ／または凸部は前記クリップ形連結要素（３）に形成された凸部かつ／または凹部と確実係止結合を形成することを特徴とする、請求項１のアドオン保管装置。
【請求項３】
前記クリップ形連結要素（３）を押し込み方向（１２）へ誘導する少なくとも一つの溝形凹部（１３）かつ／または凸部が前記締結領域（４）に形成され、かつ前記クリップ形連結要素（３）は対応する凸部（１７）かつ／または凹部を有することを特徴とする、請求項１または２のアドオン保管装置。
【請求項４】
前記クリップ形連結要素（３）は、相互から離隔して平行に延在しかつ相互に対して対面する側に少なくとも一つの凸部（１７，１８）かつ／または凹部を有する二つの弾性クランプ顎部（１６）を有するベース部（１５）を含むことを特徴とする、請求項１から３のいずれか１のアドオン保管装置。
【請求項５】
前記クリップ形連結要素（３）は前記クランプ形顎部（１６）を横切って前記ベース部（１５）を分離するリセス（２０）を介して形成され、かつ前記ベース部（１５）へ移行する領域において前記クランプ顎部（１６）の外エッジに係止鼻部（２３）が形成されていることを特徴とする、請求項４のアドオン保管装置。
【請求項６】
前記ボックス形ハウジング要素（１，２）は、中空体に形成され、前記ハウジング要素（１，２）の底面（７）の外方へ開放してスロット形開口部（１１）を形成し、かつ使用しないクランプ連結要素（３）を収納する作用をする隔壁（１０）を含むことを特徴とする、請求項１から５のいずれか１のアドオン保管装置。
【請求項７】
ＣＤかつ／またはＤＶＤケースの挿入区画室を形成する複数の平行ウエブが前記ハウジング要素の対峙する端壁（５）の挿入面（９）上に形成され、かつ前記挿入面（９）は前記ハウジング要素（１，２）の側壁の開放側を形成するエッジ（５．１）から所定間隔（ａ）をおいて延在することを特徴とする、請求項１から６のいずれか１のアドオン保管装置。
【考案の詳細な説明】
【０００１】
【考案の属する技術分野】
本考案は、ＣＤかつ／またはＤＶＤケース等のフラット物体用のアドオン保管装置に関する。
【０００２】
【従来の技術】
ＣＤかつ／またはＤＶＤケース等のフラット物体を保管するために前面が開放したボックス形ハウジングを使用することが既知である。ボックス形ハウジングは少なくとも二つの対峙する側壁の内面にＣＤかつ／またはＤＶＤケース等のフラット物体（以下、ＣＤケースと呼ぶ）用の挿入区画室を形成する複数の平行ガイドウエブを装備する。
【０００３】
増大するＣＤコレクションのスペース拡大要求を満足させるために、形状および寸法に関してハウジング要素が共働するようにハウジングを形成することが同様に知られている。この種のハウジング要素は、スペース拡大要求に従って寸法的に大きな保管装置を形成するために、隣接するハウジング要素の側壁を相互に対して対面配置することにより漸次組立てることができる。各ハウジング要素を一緒に固定するために締結クリップが設けられ、各締結クリップは二つの隣接する側壁の共通エッジへ押し込まれ隣接する側壁の内面上に係合する。締結クリップは、適宜プラスチック材料等による弾性材料により形成され、かつ締結領域内の摩擦係合により共通エッジ上に設置される。
【０００４】
【考案が解決しようとする課題】
しかし、キャビネットのような相対的に大きい寸法の保管装置の構造に関する限り、この種の締結クリップの摩擦保持は信頼性に欠ける。
【０００５】
そこで、本考案の課題は、個別ハウジング要素が信頼性をもって共に連結される上述タイプのアドオン保管装置を提供することにある。
【０００６】
【課題を解決するための手段】
上記課題を解決するための本考案によるフラット物体、特にＣＤかつ／またはＤＶＤケース用のアドオン保管装置は、前面が開放しかつ側壁が相互に対して対面配置される少なくとも二つのボックス形ハウジング要素、および対面配置された隣接する側壁へ挿入することのできる少なくとも二つのクリップ形連結要素を含み、前記クリップ形連結要素は、開放したハウジング要素の前面およびその反対側の底面から所定の締結領域に共通エッジを形成しかつ前記ハウジング要素の内面で前記側壁上に係合し、かつ前記締結領域において、隣接する前記側壁の少なくとも開放側の内面に少なくとも一つの凹部かつ／または凸部を含み、かつ前記凹部または凸部に係合する少なくとも一つの凸部かつ／または凹部が前記クリップ形連結要素に形成されていることを特徴とする。
【０００７】
好適形態において、前記アドオン保管装置は、前記締結領域において、少なくとも前記側壁の開放側の内面の少なくとも一つの凹部かつ／または凸部は前記クリップ形連結要素に形成された凸部かつ／または凹部と確実係止結合を形成する。
【０００８】
好適形態において、前記クリップ形連結要素を押し込み方向へ誘導する少なくとも一つの溝形凹部かつ／または凸部が前記締結領域に形成され、かつ前記クリップ形連結要素は対応する凸部かつ／または凹部を有する。
【０００９】
好適形態において、前記クリップ形連結要素は、相互から離隔して平行に延在しかつ相互に対して対面する側に少なくとも一つの凸部かつ／または凹部を有する二つの弾性クランプ顎部を有するベース部を含む。
【００１０】
好適形態において、前記クリップ形連結要素は前記クランプ形顎部を横切って前記ベース部を分離するリセスを介して形成され、かつ前記ベース部へ移行する領域において前記クランプ顎部の外エッジに係止鼻部が形成されている。
【００１１】
好適形態において、前記ボックス形ハウジング要素は、中空体に形成され、前記ハウジング要素の底面の外方へ開放してスロット形開口部を形成しかつ使用しないクランプ連結要素を収納する作用をする隔壁を含む。
【００１２】
好適形態において、ＣＤかつ／またはＤＶＤケース等のフラット物体の挿入区画室を形成する複数の平行ウエブが前記ハウジング要素の対峙する端壁の挿入面上に形成され、かつ前記挿入面は前記ハウジング要素の側壁の開放側を形成するエッジから所定間隔をおいて延在する。
【００１３】
即ち、本考案によるフラット物体、特にＣＤかつ／またはＤＶＤケース用のアドオン保管装置は、少なくとも二つのボックス形ハウジング要素、および少なくとも二つのクリップ形連結要素を含み、前記ハウジング要素は前面で開放しかつ相互に対して対面する側壁により隣接し、前記クリップ形連結要素は隣接する側壁へ押し込まれることができ、前記クリップ形連結要素はハウジング要素の側壁の開放側、即ち、前面側およびその反対側の底面、即ち、後面側から所定の締結領域に共通エッジを形成しかつ前記ハウジング要素の内面で側壁上に係合し、かつ前記締結領域において、隣接する側壁の内面で少なくとも開放側に少なくとも一つの凹部かつ／または凸部を有し、かつ前記クリップ形連結要素は前記少なくとも一つの凹部かつ／または凸部に係止する少なくとも一つの凸部かつ／または凹部を有することを特徴とする。
【００１４】
この結果として、一方でハウジング要素とクリップ形連結要素間に確実係止結合、他方で少なくとも二つのクリップ形連結要素を共に固定して、意図しない弛緩を防止する。これは特にこの種の保管装置において前面側に取り付けられるクリップ形連結要素の作用によるものであり、かつＣＤケース等を取り出すときの不本意な脱出を阻止する。ただし、底面側へ押し込まれるクリップ形連結要素は、ハウジング要素の底面により形成される保管装置の後壁が建物の壁または家具片に概ね対面するので、摩擦係合により保持されるだけでもよい。クリップ形連結要素に形成された凸部は摩擦係合または把持を強化する。
【００１５】
本考案の他の特徴は実用新案登録請求の範囲および添付図面を参照する実施形態の説明から理解されるであろう。
【００１６】
【考案の実施の形態】
次に、図１および２を参照すると、複数のハウジング要素１および２で構成されるＣＤかつ／またはＤＶＤケース用のアドオン保管装置が図１に示されている。ハウジング要素１はＣＤケースのみならず、更に大きい寸法のＤＶＤケースを収容するためにも使用される。図面に示されたように、ハウジング要素１およびハウジング要素２は所定格子に所望により実用的に相互に組み合わることのできる寸法で相互に対して構成される。
【００１７】
ハウジング要素１，２が側壁により相互に対して設置される領域において、ハウジング要素１，２はクリップ形連結要素３により共に開放前側および底側から連結され、そのようにして全体として安定したキャビネット型保管装置を形成する。全体として、各ハウジング要素の四つの壁は締結領域４を有し、他のハウジング要素を側かつ／または上に直ちに追加できる。
【００１８】
ＤＶＤケースを保管するためのハウジング要素２は図２に斜視図で示されている。ボックス形ハウジング要素２は二つの対峙する端壁５、複数のウエブ６を含み、ウエブ６は開放側から底面７まで延在しかつＤＶＤケースを挿入するための区画室を形成する。ウエブ６は端壁の内面へ形成されてよく、またはここに表されたように段部８に形成されて、端壁５に対してオフセットした挿入面９を形成してよい。
【００１９】
ハウジング要素２に対して隔壁１０が形成されているが、ＣＤケースの相対的に小さい寸法を考慮にいれて二つの隔壁がハウジング要素１に対して設けられ、かつかかる隔壁は同様に対応するウエブ６を有する形態であってよい。
【００２０】
図３の垂直断面図、図４の背面斜視図に示されたように、隔壁１０は後方へ開放する中空体として形成され、かつ中空体のキャビティへのアクセスが底面７内のスロット形開口部１１から可能である。
【００２１】
図示形態において、締結領域４は押し込み方向（矢印１２）に延在する溝形凹部１３、および二つのカップ形凹部１４を有する。後側の対応する締結領域４．１は溝形凹部１３に形成されている。
【００２２】
締結クリップ３の位置は図３の下部に概略的に示されている。
【００２３】
締結クリップ３は、図４に示されたように、必要とされない締結クリップ３がハウジング要素の底面７内のスロット形開口部１１へ挿入できるように形成され、かつそのようにして安全に保存できる。従来既知のアドオンシステムの締結クリップは、販売時に包装カードボード内に含まれているバックまたはポーチ等へ挿入されていて、バッグ等を除去した後にユーザは必要でない連結要素を別途保存する必要があった。本発明による解決の利点は全連結要素３が販売時に図４に示されたように既に挿入されていて、ユーザは使用時に必要な連結要素を取り出せばよいだけである。必要ないずれの連結要素も必要に応じて連続的に取り出すことができる。
【００２４】
図５は連結要素の一形態の斜視図を示す。連結要素は二部構成ベース部１５．１と１５．２で事実上構成され、相互に離隔して平行に延在しかつ対面する側で凸部１７および１８を有する。
【００２５】
図６は図５の連結要素の平面図を示す。図８は図６の矢印Ａ方向へ見た図であり、図９は図６の矢印Ｂ方向へ見た図である。
【００２６】
図７および８はクランプ顎部１６の凸部１７の形態および位置を示す。凸部１７および１８は、図３に示されたように、連結要素が矢印１２の方向へ押されるときに、凸部１７が溝形凹部１３へ係合し、かつ連結要素３が完全に押し込まれた後に、凸部１８はカップ形凹部１４に係合し、かつ連結要素は隣接する二つのハウジング要素の側壁を確実に連結する。図７に示されたように、クランプ顎部１６は二重矢印１９の方向においてベース部１５に対して弾力的に広がって離隔する。ベース部１５はワンピースとして連続的に形成されてよい。
【００２７】
図６の形態から観察できるように、リセス２０がクランプ顎部を横切っていてベース部１５を部１５．１と１５．２に分割している。このように、この連結要素は二つのクランプ顎部１６の弓状端部２１に対して二重矢印２２の方向へ共に押圧される。更に、図３および４に示されたように、ハウジング要素の底面７のスロット形開口部１１へ連結要素を挿入可能であり、かつクランプ顎部１６の外エッジに設けられた係止鼻部２３により弾力的に確実固定可能である。
【００２８】
連結要素３の凸部とハウジング要素１，２の凹部１３，１４とによる結合形態は、また、逆転されてよい。
【００２９】
連結要素３の単純化した形態は、対応して形成されたハウジング要素の連結領域と共に図１０に示されている。図１１は図１０の連結要素の側面を示す。
【００３０】
連結領域４において隣接するハウジング要素の側壁ＩおよびＩＩの内面には浅い凹部１３．１が形成されている。凹部１３．１の幅寸法は連結要素３の幅よりも僅かに広い。溝形凹部１４．１が凹部１３．１内に形成され、連結要素３に対して押し込み方向１２を横切って延在する。
【００３１】
対応する突起、即ち、凸部１８．１が連結要素３に形成され、各突起１８．１は、連結要素３が凹部１３．１上へ挿入されるときに、溝形凹部１４．１へ係止する。押し込み方向への誘導は、凹部１３．１の側エッジと連結要素３のクランプ顎部１６との相互結合により実行される。これは、一方で凹部１３．１、他方で連結要素３が共働して、図７における形態による連結要素の凸部１７と図３に示された溝形凹部１３との機能を達成することを意味する。
【００３２】
図１２は図１０の連結領域の他の形態を示す。溝形凹部１４．１はカップ形凹部１４．２により置換されている。この事例において、対応する凸部が係合する連結要素のクランプ顎部に形成され、凸部は、連結領域上に押し込まれるときに、同様に、カップ形凹部１４．２に係止する。
【００３３】
図３の垂直断面図に示されたように、図示形態において、対峙する側壁、即ち、端壁５に設けられる平行ガイドウエブ６は、挿入面９上に形成される。挿入面９はハウジング要素の端壁の開放側エッジを形成するエッジ５．１に対して所定間隔をおいてセットバックするようにして内方へ延在する。この結果として、自由アクセススペース２４が形成され、それによって鎖線で示されたＣＤケースの保持を可能にする。
【００３４】
中空体として形成された隔壁１０は明瞭な厚みを有し、そのようにしてスペーシングｂを考慮し、ＣＤケースが密集して対応する保管区画室を完全に充満する場合に、重なったＣＤケースの保持を容易にする。
【００３５】
図２および４に示されたように、ハウジング要素１，２は予備加工された孔２５を有し、孔２５はこの種のハウジング要素の建物の壁への個別ねじ込みを可能にし、また組立保管装置としての使用を可能にする。
【００３６】
内スタッド２６．１を有する複数の環状凹部２６が更に効果的にハウジング要素を固定するために、全側壁の外面に形成される。図４に示されたように、凹部２６は相互に対して対角線上に形成される。ハウジング要素の側壁から突出する環状ビード２７が環状凹部の反対対角線上に形成され、寸法的に環状凹部２６に対応し、かつ二つのハウジング要素の側壁が相互に対して隣接設置されるときに内部空間でスタッド２６を受ける。このことは、隣接するハウジング要素が相互に対して密接しかつその側壁面の面移動に対して確実に固定することを意味する。
【００３７】
環状凹部２６および環状ビード２７は図１の構造が可能なような寸法で相互に対して形成されかつ配置される。
【図面の簡単な説明】
【図１】本考案によるＣＤかつ／またはＤＶＤケース用の複数のボックス形ハウジング要素で構成されるアドオン保管装置の正面斜視図である。
【図２】図１のハウジング要素の正面斜視図である。
【図３】図２のＩＩＩ−ＩＩＩ線に沿った垂直断面図である。
【図４】図２のハウジング要素の背面斜視図である。
【図５】本考案によるクリップ形連結要素の第一形態の斜視図である。
【図６】図５のクリップ形連結要素の平面図である。
【図７】図５のクリップ形連結要素の側面図である。
【図８】図５のクリップ形連結要素の正面図である。
【図９】プラグ側を示す図５のクリップ形連結要素の背面図である。
【図１０】ハウジング要素の連結領域と対応するクリップ形連結要素の第二形態の斜視図である。
【図１１】図１０のクリップ形連結要素の側面図である。
【図１２】クリップ形連結要素の他の形態の斜視図である。
【符号の説明】
１，２…ハウジング要素
３…クリップ形連結要素（または締結クリップ）
４…締結領域（または連結領域）
５…端壁
６…ウエブ
７…底面
８…段部
９…挿入面
１０…隔壁
１１…スロット形開口部
１３…溝形凹部
１４…カップ形凹部
１５．１，１５．２…ベース部
１６…クランプ顎部
１７，１８…凸部
２４…アクセススペース
【図１】
0003097257.tif 000003
【図２】
0003097257.tif 000004
【図３】
0003097257.tif 000005
【図４】
0003097257.tif 000006
【図５】
0003097257.tif 000007
【図６】
0003097257.tif 000008
【図７】
0003097257.tif 000009
【図８】
0003097257.tif 000010
【図９】
0003097257.tif 000011
【図１０】
0003097257.tif 000012
【図１１】
0003097257.tif 000013
【図１２】
0003097257.tif 000014